(57)【特許請求の範囲】
【請求項１】
筐体内に、転写媒体が塗布された基材を巻装した送出軸部と、被転写体へ転写した後の基材を巻き取る巻取軸部と、送出軸部と巻取軸部との間の基材搬送経路上に該筐体から一部を露出させて設けた転写部と、を備えた転写具において、前記転写部が、筐体に対して回転可能に設けられると共にその外面に操作レバーが形成された操作部と、この操作部の前記筐体と反対側の端部から露出して転写媒体を被転写体へ転写するための先端部と、該操作部内に挿通されて筐体側で前記先端部を弾性変形可能に支持する支持部とを有し、さらに、前記操作部により前記先端部が移動するように該先端部を支持したことを特徴とする転写具。
【請求項２】
操作部が、先端部を所定範囲内で自由揺動可能に支持することを特徴とする請求項１記載の転写具。
【発明の詳細な説明】
【技術分野】
【０００１】
本発明は、転写部に力が伝達されにくく、使いにくいといった問題が生じることなく、片当たりを確実に防止すると共に、良好な使用感にて転写媒体を安定して転写することができる転写具に関する。
【背景技術】
【０００２】
基材に転写媒体（修正・着色用の塗剤と、貼着用の塗剤を総称する）を塗布した転写テープを巻装した送出軸部と、送出軸部から送り出され、被転写媒体上に転写媒体を転写した後の基材を巻き取る巻取軸部と、送出軸部と巻取軸部との間の搬送経路上に設けた転写部とを筐体に有した転写具が知られている。
【０００３】
転写具は、筐体を手に持って、被転写体に対して、転写部の幅方向の左右均等に力がかかるようにして正しく使用すれば、該転写部の全面が被転写体に接触するから、転写媒体の幅方向全域が均一的に被転写体に転写されることになる。
【０００４】
ところが、例えば被転写体上で曲線状に転写媒体を転写した場合、直線状であっても力のかけ具合が左右均等ではない場合、においては、被転写体から転写部の一部が浮き上がって（この現象を以下、片当たりという）、転写媒体の幅方向の一部が被転写体に転写されないことがある。
【０００５】
片当たりが生じると、例えば被転写体においては、転写媒体が密着して転写されずに不完全な転写となったり、予定している幅に転写媒体が転写されないことになり、一方、例えば転写具においては、基材に残留した転写媒体が筐体の内部に転写され、筐体内部に転写された転写媒体が基材の搬送を妨げるおそれがある。
【０００６】
上記片当たりを解消する構成を有した転写具及び本願発明に関連する構成を有した、以下の特許文献１〜４が存在する。
【０００７】
【特許文献１】実開平７−１３８６０号公報
【特許文献２】特開平８−１７５０９５号公報
【特許文献３】特開２００１−１８５８７号公報
【特許文献４】特開２００１−３５４３５５号公報
【０００８】
特許文献１には、転写部の先端部から一体的に形成された軸が筐体内で回動自在に枢支され、片当たりが発生する使用状態のときには、転写部が軸を中心に回動（−９０°〜９０°の範囲）する構成が記載されている。
【０００９】
特許文献２には、転写部が、先端部（圧着ブレード）における転写テープの幅方向と直角にかつ幅方向の中点を中心に応力が働いた時に回転し、応力が働かなくなった時に弾性力により復元するように装着される構成が示されている。
【００１０】
特許文献３には、先端部（ヘッド本体）の基端側部位に一体に設けられると共にその外周に操作レバーを設けた断面Ｃ字形の被軸受部と、筐体側に支持され、被軸受部の外周面に沿って断面Ｃ字形とされると共に操作レバーの軸部の移動を案内する操作案内部を周方向に形成した軸受部と、を備え、筐体の面（すなわち転写テープの巻装端面）を被転写体に対して水平又は垂直にして使用する際に応じて、操作レバーを操作して先端部の転写面を水平又は垂直にする構成が示されている。
【００１１】
特許文献４には、先端部（転写ヘッド）が転写部と被転写体との圧接により弾性的に変形し、該転写部の圧接状態を圧接状態認識手段により認識できる構成が開示されている。本願に関連する具体的構成としては、転写部を露出する筐体の開口付近の一部に開口を設けて、この開口から先端部を支持する支持部に設けた起立部材が突出し、この起立部材に指を架けるというものである。
【発明の開示】
【発明が解決しようとする課題】
【００１２】
しかしながら、特許文献１〜３は、次の問題があった。特許文献１，３は、操作のための力が直接的に転写部へ伝達される、つまり前記操作のための力を抑制しないから、僅かな左右不均等な力までも如実に伝達し、この力に応じて転写部が傾き、かつ傾いたままとなって、被転写体上に蛇行状に転写媒体を転写するといった現象が生じて、ふらついて非常に使いにくいといった問題があった。
【００１３】
特許文献２は、筐体からの力を吸収するが、この力が筐体つまりは操作する手から離れた位置にある転写部に伝達される際に、微妙な操作感（操作力）をも吸収してしまい、細かい部分に転写したりする際の操作ができず、使いにくいといった問題があった。
【００１４】
特許文献４は、単に先端部の被転写体に対して垂直方向（圧接方向）に操作力を認識する構成であって、支持部（を介して連動する起立部材）の弾性変形量が捻れ方向には著しく規制されているから、該垂直方向の上下に応じて被転写体に対する圧接の強弱が把握できるに止まり、起立部材により、例えば捻れ方向に関する片当たりを感知したり、微妙な操作を行うことができず、使いにくいといった問題があった。
【００１５】
また、例えば特許文献３の操作レバーによって先端部の転写面を転写テープの巻装端面に対して水平又は垂直に回転させる構成に、特許文献２の転写部の支持部分が弾性変形する構成、を組み合わせた場合は、特許文献２の弾性変形する転写部の支持部分が捻じ切れてしまうか、特許文献３のように先端部を被転写体に対して水平又は垂直に回転しようとしても弾性復元により意図する状態に回転することができず、結局のところ片当たりの解消や使用感の向上はおろか製品として使い物にはならないという問題がある。
【００１６】
また、例えば上記の組み合わせ構成のうち、特許文献３の操作レバーを特許文献４の起立部材の構成に変えたとしても、上記のとおり特許文献４の起立部材は捻れ方向への規制が著しい（つまりほとんど移動することがない）ので、特許文献２の弾性変形のメリットを得ることができず、結局のところ片当たりの解消や使用感の向上はあり得ないという問題がある。
【００１７】
本発明が解決しようとする問題は、従来の構成では、微妙な操作感（操作力）を弾性変形する支持部で吸収してしまい、筐体から細かい部分に転写したりする際の力を先端部へ伝達できず、使いにくい点、筐体からの操作のための力が（弾性変形する）支持部を介さないで転写部へ伝達されるために筐体からの力に応じて転写部が如実に傾き、かつ傾いたままとなって、ふらついて非常に使いにくい点、先端部の傾き（支持部においては捻れ）を制御可能な構成となっていないために片当たりの解消と微妙な操作が行えずに使いにくい点、である。
【課題を解決するための手段】
【００１８】
上記問題点を解決するために、本発明は、筐体内に、転写媒体が塗布された基材を巻装した送出軸部と、被転写体へ転写した後の基材を巻き取る巻取軸部と、送出軸部と巻取軸部との間の基材搬送経路上に該筐体から一部を露出させて設けた転写部と、を備えた転写具において、前記転写部が、筐体に対して回転可能に設けられると共にその外面に操作レバーが形成された操作部と、この操作部の前記筐体と反対側の端部から露出して転写媒体を被転写体へ転写するための先端部と、該操作部内に挿通されて筐体側で前記先端部を弾性変形可能に支持する支持部とを有し、さらに、前記操作部により前記先端部が移動するように該先端部を支持することとした。
【発明の効果】
【００１９】
本発明に係る転写具は、次の作用効果を有する。まず、使用感を向上について考察すると、例えば鉛筆などの筆記具及び文具全般において細かい文字を書いたり、細かい部位で作業をしようとする際には、できるだけその作業しようとする部位に近い位置でその文具を手で支持しておけばよい。これは、手から伝わるその作業に関する力を直接的に伝えることができるからである。
【００２０】
本発明は、この事実に着目して、筐体を手で持って操作する転写具において、被転写体に最も近い転写部の先端部に近い位置で操作する構成とすることで、手から伝達される操作のための力を自在に転写部の先端部に伝達できるようにしている。よって、本発明の転写具は、細かい部位に細かく転写媒体を転写することができると共に、片当たりが生じるような兆候があれば片当たりが現実的に発生する直前に操作部から感じ取ることができ、片当たりが確実に抑制される。
【００２１】
具体的には、それまで正常に転写できている最中に片当たりが生じるような場合は、支持部の弾性変形を伴った捻れ（軸回転）により先端部が被転写体に対する水平な状態から傾く。このとき、操作部が先端部を移動させ得るように支持しているので、このような片当たりが生じるような先端部の挙動を支持部の弾性変形で吸収される前に操作部で感じ取ることとなるから、操作レバーを傾きを感じた方向と反対方向に押圧するか、操作レバーでこの傾きを阻止する力を加えるか、の操作により片当たりが抑制される。
【００２２】
そして、支持部が弾性変形・弾性復元することで、上記の片当たりを抑制しようとする操作、つまり操作レバーを傾きを感じた方向と反対方向に押圧した際、操作レバーでこの傾きを阻止する力を加えた際、において、その力を加えた方向へ過剰に先端部が傾いて片当たりの挙動を感じた方向とは逆の方向で片当たりが生じることを抑制する。
【００２３】
また、上記の片当たり抑制のための作用は、本発明の転写具を自在に操作する効果ともなる。例えば、直線状に転写媒体を転写し続ける場合には、上記の片当たりと同じく、先端部の微妙な挙動が操作レバーで支持部の弾性変形で吸収される前に感じ取れるから、上記のように操作を行えば、直線状にふらつくことなく転写できる。
【００２４】
一方、片当たりが生じることなく曲線状に転写媒体を転写しようとする場合は、筐体によって方向を決定する操作を行いつつ、このときに操作レバーを操作して先端部が傾かない被転写体に対して垂直方向の力を加える。
【００２５】
つまり、筐体からの力が仮に片当たりが生じるような操作であっても支持部の弾性変形と、先端部の操作レバーによる微調整的な操作により、片当たりが生じることなく曲線状に転写媒体を転写できるのである。これは例えて言うなら、親指（のいわゆる腹）を紙面につけたまま、紙面上で手全体を自在に移動する操作に近いものである。
【００２６】
また、曲線状に転写媒体を転写しようとした際にも、支持部が弾性変形と弾性復元を伴うから、例えば操作レバーの操作で一方に大きく移動させた後に戻す（曲線状に操作した後に直線状に操作しようとする）操作が困難となることもない。
【００２７】
したがって、本発明の転写具は、片当たりを確実に抑制することができると共に、良好な使用感にて転写媒体を安定して転写することができる。
【図面の簡単な説明】
【００２８】
【図１】本発明の第１形態による転写具の概略構成を示し、（ａ）は透過斜視図、（ｂ）は（ａ）のＡ−Ａ線部分断面図、（ｃ）は（ａ）のＢ−Ｂ線部分断面、である。
【図２】本発明の第２形態による転写具の概略構成を示し、（ａ）は部分拡大斜視図、（ｂ）は（ａ）の部分拡大平面図、である。
【図３】本発明の第２形態による転写具の転写部の構成を示し、（ａ）は部分平面図、（ｂ）は部分正面図、（ｃ）は転写部を筐体方向から視た図、である。
【発明を実施するための最良の形態】
【００２９】
本発明の転写具は、図１〜図３に示す第１及び第２形態により実施可能である。なお、第２形態においては第１形態と異なる構成について説明すると共に、以下、発明の主要構成以外については具体的かつ詳細な説明を省略する。
【００３０】
図１に示す第１形態における転写具１は次のように構成される。転写具１は、筐体２内に、参照符号及び図示しない転写媒体が塗布された基材を巻装した送出軸部３と、被転写体へ転写した後の基材を巻き取る巻取軸部４と、送出軸部３と巻取軸部４との間の基材搬送経路上に該筐体２から一部を露出させて設けた転写部５と、を備えている。ここまでは一般的な構成であり特に特徴はないが、本発明は転写部５の構成に特徴がある。
【００３１】
転写部５は、次のように構成されている。転写部５は、転写媒体を被転写体へ転写するための先端部５Ａを有している。この先端部５Ａは、本例の場合、例えば白色の修正用の転写媒体を被転写体へ転写するに好適な舌状のものを採用している。もちろん、先端部５Ａは、例えば被転写体と貼着体とを貼着するための粘着性の転写媒体を用いる場合に好適なローラ状のものであっても構わない。
【００３２】
先端部５Ａは、基材の搬送方向と直交する方向の両端部に壁面５ａ，５ａが形成されている。この壁面５ａ，５ａは、先端部５Ａの基材の搬送面から基材が脱線しないようにガイドするためのものである。
【００３３】
先端部５Ａの筐体２側の端部（以下、後端部という）には、第１形態では支持部５Ｂが一体的に設けられている。この支持部５Ｂは弾性変形し得る例えばポリアセタール（ＰＯＭ）を採用している。なお、支持部５Ｂは、他にポリプロピレンなど、材料で限定してもよいが、例えば曲げ強度（ＩＳＯ−１７８）で８０〜９５ＭＰａの条件を満たすならば、他の弾性変形・弾性復元する材料を採用しても構わない。また、支持部５Ｂをコイルばねで構成しても構わない。
【００３４】
支持部５Ｂは、基材を筐体２から外部へ露出するための開口部２Ａに基材搬送面と平行に設けた耐傾動軸２Ｂの中間部に、同一平面において該耐傾動軸２Ｂの軸方向と直交するように設けている。耐傾動軸２Ｂは、傾動したり捻れたりすることなく設けられている。
【００３５】
また、開口部２Ａ、即ち筐体２側には、筒状の操作案内部材２Ｃが固定的に設けられている。この操作案内部材２Ｃには、先端部５Ａの壁面５ａ，５ａの各々の外側で一体とされた筒状の操作部５Ｃが内嵌状に設けられている。
【００３６】
すなわち、操作部５Ｃは、上記操作案内部材２Ｃとの内嵌部位の周面には、図１（ｃ）に示すように該操作案内部材２Ｃの水平直径方向対向位置にそれぞれ所定角度だけ切り欠いて形成されたガイドレール２Ｃａで周方向に案内される案内突部５Ｃａが各々形成されている。ガイドレール２Ｃａは、例えば、先端部５Ａにおける搬送面の水平状態（これは支持部５Ｂが捻れていない状態）を基準として±３０°の角度分形成されている。
【００３７】
さらに、操作部５Ｃの、操作案内部材２Ｃと内嵌していない部位には、筐体２側に張り出した操作レバー５Ｃｂが形成されている。操作レバー５Ｃｂは、先端部５Ａに近く、かつ、先端部５Ａにおける基材搬送面と平行な板状に形成されており、その外側面には滑り止めのシボ加工（凹凸加工）が施されている。
【００３８】
すなわち、本発明の転写具１は、操作レバー５Ｃｂ（操作部５Ｃ）が、先端部５Ａと一体とされているから、該操作レバー５Ｃｂを操作することで、先端部５Ａを直接的に操作することが可能となる。また、操作部５Ｃは、先端部５Ａ、ひいては支持部５Ｂと接続しているから、支持部５Ｂの弾性変形及び弾性復元を伴った操作が可能となる。
【００３９】
ガイドレール２Ｃａを先端部５Ａにおける搬送面の水平状態を基準として±３０の角度だけ形成している理由は、この範囲を超えて自由に操作部５Ｃが周方向に移動し得ると、良好な使用感を超えて片当たりが生じる可能性があり、この範囲において極端に狭い角度であると操作部５Ｃの周方向の移動量が極端に制限されて良好な使用感を得られなくなるからである。
【００４０】
以上の構成の第１形態における転写具１は、筐体２を手で持って例えば操作レバー５Ｃｂに指を載せて操作する。転写具１の大雑把な操作、例えば転写媒体を被転写体に転写するとか、転写すべき方向を決定するような基本的な操作は手で持った筐体２側で行う。
【００４１】
この基本的な操作以外の、例えば直線状に操作している途中で部分的に曲線（蛇行）状に操作する、あるいは、長い距離を直線状に操作する、といった場合には操作レバー５Ｃｂを介した指の動きで先端部５Ａを直接的に操作する。
【００４２】
従来の片当たりを抑制するために転写部の支持部位が弾性変形する構成では、操作に関する力が筐体を介して該支持部位の弾性変形を伴ったうえで間接的に転写部（先端部）に伝達されていたので、場合によってはその操作に関する力が支持部の弾性変形に吸収されてしまい、即座の操作や微妙な感覚の操作がどうしても鈍く、使用感としては単に片当たりが生じにくい程度のものであった。
【００４３】
これに対し、本発明の転写具１であれば、片当たりの抑制に関しては先端部５Ａの支持部５Ｂにおける弾性変形により従来同様の効果が得られるうえに、これに加えて、操作部５Ｃによる支持部５Ｂを介さない直接的な操作が可能となることで、片当たりの抑制も含めて該先端部５Ａの微妙かつ繊細な感覚的な操作が行え、使用感は格段に向上するのである。
【００４４】
第１形態の上記構成では、先端部５Ａと操作部５Ｃとが一体となった構成であったが、先端部５Ａの挙動に対する操作部５Ｃ、又は操作部５Ｃの操作に対する先端部５Ａ、の動作にいわゆる遊び（余裕）を持たせるならば、操作部５Ｃにより先端部５Ａを所定範囲内の自由移動可能に支持する構成とすればよい。
【００４５】
例えば、図示しないが、上記構成では先端部５Ａの壁面５ａ，５ａの外側面と操作部５Ｃの筒状内面とが一体とされていたが、先端部５Ａと操作部５Ｃとを分離する。さらに、支持部５Ｂを、先端部５Ａ側と筐体２側で分割し、該先端部５Ａ側を筐体２側に外嵌させる。
【００４６】
支持部５Ｂの分割部位において、筐体２側の外周面には突部を設け、先端部２側の筐体２側に外嵌する周面には所定角度分だけ切欠溝を形成し、該突部が該切欠溝に嵌って、該切欠溝の分だけ該突部が移動し得るように構成する。これにより支持部５Ｂは筐体２側に対して、所定角度分だけ自由に先端部５Ａが揺動（回転）可能となる。
【００４７】
そして、分割した支持部５Ｂの筐体２側を、操作部５Ｃの筒状内面に接続する。こうすることで、分割した支持部５Ｂの筐体２側は操作部５Ｃと連動して操作可能となる。一方、先端部５Ａは、支持部５Ｂの操作部５Ｃを介した操作されるが、支持部５Ｂの分割部位における切欠溝の分だけ該操作部５Ｃの操作に対して自由に揺動する。
【００４８】
第１形態の転写具１は、例えば上記のように変形することで、操作レバー５Ｃｂの僅かに動きに対して過剰に先端部５Ａが反応することを抑制して、又は先端部５Ａの僅かな挙動に対して過剰に操作部５Ｃが反応することを抑制して、より一層使用感が向上する。この点については、第２形態において詳述する。
【００４９】
（第２形態）
図２〜図４に示す第２形態による本発明の転写具１は、次のように構成されている。なお、第２形態による転写具１は、第１形態と相違する構成のみを説明し、第１形態と同様の構成には同じ参照符号を付して説明は省略する。
【００５０】
第２形態における転写部１５は、図２（ａ）のように、操作部１５Ｃにより先端部５Ａを所定範囲内の自由移動可能に支持する構成としている。すなわち、第２形態における転写部１５は、先端部５Ａ及び支持部５Ｂとの間に揺動部１５Ａ及び連結部１５Ｂを有し、さらに、第１形態における操作部５Ｃとは異なる操作部１５Ｃにて構成されている。
【００５１】
揺動部１５Ａは、先端部５Ａの筐体２側（以下、後端側という）に一体的に設けられ、支持部５Ｂと軸中心を同じとする軸状のものである。図３に示すように、揺動部１５Ａにおける後端側へ向かう軸方向途中部位には、揺動孔１５Ａａが軸方向と直交する方向の両側面を貫通して形成されている。揺動孔１５Ａａは、図３（ｂ）に示すように、後述する揺動軸部１５Ｂｂが十分に該揺動孔１５Ａａ内で傾動する大きさとされている。
【００５２】
揺動部１５Ａの軸方向のさらに後端側には、図３（ａ）に示すように、例えば先端部５Ａ自体の揺動範囲を制限するための規制突部１５Ａｂが、該揺動部１５Ａの両側面のうちの一方側面から突出して形成されている。さらに揺動部１５Ａの後端側の面の、図２（ａ）で示す上部には、筐体２側に突出すると共にその突出下部が円弧状とされた揺動支点１５Ａｃが形成されている。
【００５３】
連結部１５Ｂは、支持部５Ｂの先端部５Ａ側（以下、先端側という）に設けられ、図３（ａ）に示す状態の平面視で略逆凹字状とされている。連結部１５Ｂにおける支持部５Ｂの先端との連結部位から先端側へは、支持部５Ｂの軸方向と直交する方向の両側面のうちの他方側に基板１５Ｂａが形成されている。
【００５４】
この基板１５Ｂａにおける筐体２側には、支持部５Ｂの軸方向と直交する方向の一方側（例えば揺動部１５Ａの規制突部１５Ａｂと同方向）に突出した揺動軸部１５Ｂｂが形成されている。この揺動軸部１５Ｂｂは、図３（ｂ）に示すように、上記揺動孔１５Ａａに挿通されている。
【００５５】
操作部１５Ｃには、図２（ｂ）に示すように、筐体２における開口部２Ａに形成された操作案内部材２Ｃにおける開口周縁部のガイドレール２Ｃａに対して所定角度だけ回転可能に設けられた操作筒部１５Ｃａを有している。
【００５６】
このガイドレール２Ｃａに対する操作筒部１５Ｃａの回転許容量は、図示しない操作筒部１５Ｃａ側の縁部の垂直な直径位置において対向状に各々形成された切欠溝により、先端部５Ａにおける搬送面の水平状態（これは支持部５Ｂが捻れていない状態）を基準として±３０°に規制されている。また、操作筒部１５Ｃａの外表面で先端部５Ａに近い位置には、図２（ａ）に示すように、操作レバー１５Ｃｂが形成されている。
【００５７】
さらに、図２（ａ）に示すように、操作筒部１５Ｃａの内周面において、水平位置の径方向対向位置には、規制突部１５Ａｂが形成された部位に対応して部分的に厚みが薄くされた断面凹状の規制溝１５Ｃｃが形成されている。
【００５８】
この規制溝１５Ｃｃには、図３（ｃ）に示すように、連結部１５Ｂの例えば基板１５Ｂａなど一部が周方向に係合している。すなわち、操作筒部１５Ｃａを回転させると、支持部５Ｂも連動して回転（捻れる）こととなる。また、図３（ｃ）に示すように、規制溝１５Ｃｃに規制突部１５Ａｂが嵌っており、規制溝１５Ｃｃの範囲内で規制突部１５Ａｂ、すなわち揺動部１５Ａ（及び先端部５Ａ）が揺動する。
【００５９】
第２形態の転写具１は、次のように動作する。揺動部１５Ａは、連結部１５Ｂの揺動軸部１５Ｂｂが、揺動孔１５Ａａに挿入されることで連結している。したがって揺動部１５Ａ（及び先端部５Ａ）は、該先端部５Ａが操作筒部１５Ｃａの内面に当接しない限りは、左右移動も可能である。
【００６０】
また、揺動部１５Ａは、上記のとおり揺動軸部１５Ｂｂが揺動孔１５Ａａに挿入されていて、該揺動孔１５Ａａは該揺動軸部１５Ｂｂの揺動を許容する大きさで形成されているから、規制突部１５Ａｂの規制溝１５Ｃｃで規制される揺動範囲内で、揺動支点１５Ａｃを中心に揺動可能である。
【００６１】
上記揺動部１５Ａを介した先端部５Ａの、操作部１５Ｃ（操作筒部１５Ｃａ）及び支持部５Ｂに対して許容範囲内で自由に揺動する構成に対して、操作部１５Ｃは、その回転に伴って支持部５Ｂも、上記制限角度だけ筐体２に対して捻れる構成とされている。したがって、第２形態の転写具１は、先端部５Ａが操作部１５Ｃの操作に対して、又は操作部１５Ｃが先端部５Ａの挙動に対して、若干のいわゆる遊び（余裕）があることになる。
【００６２】
よって、第２形態の転写具１は、先端部５Ａからの片当たりの挙動を即座に操作レバー１５Ｃｂで感じ取っての実際に片当たりが生じる直前に該操作レバー１５Ｃｂ（の指先の操作）でもって抑制すると共に、操作レバー１５Ｃｂを介して先端部５Ａを直接的に操作することができるから例えば細かい操作も可能となる。
【００６３】
例えば、先端部５Ａが操作レバー１５Ｃｂに載せた指先の挙動があまりにも如実かつ過剰に反映されると、今度は指先の僅かな挙動により先端部５Ａが意図しない移動する可能性がある。
【００６４】
先端部５Ａが操作レバー１５Ｃｂに載せた指先の挙動があまりにも如実かつ過剰に反映されることに起因した先端部５Ａの意図しない移動とは、例えば、直線状に転写媒体を転写しようとして小刻みに蛇行したり、僅かに片当たりが生じたり、といった現象として現れる。
【００６５】
したがって、第２形態の転写具１では、操作部１５Ｃの操作レバー１５Ｃｂの移動に対して、先端部５Ａ側の移動に自由移動し得る余裕を、揺動部１５Ａ、連結部１５Ｂによって設けることで、第１形態の作用効果を得つつなお、上記現象を抑制しているのである。
【００６６】
もちろん、第２形態の転写具１においても、先端部５Ａ、揺動部１５Ａ、連結部１５Ｂ、操作部１５Ｃを含めた全体としては、支持部５Ｂにより弾性変形・弾性復元可能に、筐体２側に支持されているから、該全体が支持部５Ｂの弾性変形を伴って捻れるように操作されれば、即座に弾性復元し、被転写体が部分的に傾いていれば、支持部５Ｂの弾性変形により該被転写体の傾いた面に倣って先端部５Ａが傾動するので、片当たりが生じることもない。
【符号の説明】
【００６７】
１  転写具
２  筐体
２Ｃ  操作案内部材
２Ｃａ  ガイドレール
３  送出軸部
４  巻取軸部
５  転写部
５Ａ  先端部
５Ｂ  支持部
５Ｃ  操作部
５Ｃａ  案内突部
５Ｃｂ  操作レバー
１５  転写部
１５Ａ  揺動部
１５Ａａ  揺動孔
１５Ｂ  連結部
１５Ｂｂ  揺動軸部
１５Ｃ  操作部
１５Ｃａ  操作筒部
１５Ｃｂ  操作レバー
１５Ｃｃ  規制溝
【図１】
0005693316.tif 000002
【図２】
0005693316.tif 000003
【図３】
0005693316.tif 000004